(57)【要約】【課題】精度よく色ムラを測定する色ムラ測定方法、および色ムラ測定装置を提供する。【解決手段】色ムラ測定方法は、プロジェクタ２にカラーパターン画像を表示させ、このカラーパターン画像を撮像装置３により撮像させ、このカラーパターン画像の画像中心の基準色度を基準色度測定器４により測定し、撮像により得られるカラーパターン撮像画像データの画像中心の測定色度を測定し、基準色度および測定色度に基づいて色度変換補正係数を算出し、プロジェクタ２に色ムラ測定用画像を表示させ、表示された色ムラ測定用画像を撮像し、色ムラ測定用撮像画像データ内の測定位置の色度を測定し、測定された色度を色度変換補正係数により補正し、補正された色度に基づいて、色ムラを測定する。【選択図】図１
2010139324.tif 000002
【特許請求の範囲】
【請求項１】
画像を表示させる表示装置により所定の表示領域に表示された画像を、撮像手段により撮像し、撮像により得られる撮像画像データから前記画像に現れる色ムラを測定する色ムラ測定方法であって、
前記表示装置により、所定照度の複数のカラーパターン画像を順次前記表示領域に表示させるカラーパターン表示工程と、
前記表示領域に表示される前記カラーパターン画像を前記撮像手段により撮像させ、カラーパターン撮像画像データを取得するカラーパターン撮像工程と、
前記表示領域における所定の測定位置の色度を測定する基準色度測定器を用い、前記表示領域に表示された前記カラーパターン画像における前記測定位置の色度をそれぞれ測定する基準色度測定工程と、
前記カラーパターン撮像工程により得られる前記カラーパターン撮像画像データにおける前記測定位置に対応する座標の色度を測定するカラーパターン色度測定工程と、
前記カラーパターン測定工程において測定される色度である測定色度、および前記基準色度測定器により測定される前記測定位置の色度である基準色度に基づいて、前記測定色度を前記基準色度に変換する色度変換補正係数を算出する補正係数算出工程と、
前記表示装置により、色ムラ測定用画像を前記表示領域に表示させる色ムラ測定用画像表示工程と、
前記色ムラ測定用画像表示工程により表示される前記色ムラ測定用画像を、前記撮像手段により撮像し、色ムラ測定用撮像画像データを取得する色ムラ測定用画像撮像工程と、
前記色ムラ測定用撮像画像データにおける所定の座標位置の色度を測定する色度測定工程と、
前記色度変換補正係数を用いて、前記色度測定工程により測定された色度を補正する色度補正工程と、
前記色度補正工程により補正された色度に基づいて、色ムラを測定する色ムラ測定工程と、
を具備したことを特徴とした色ムラ測定方法。
【請求項２】
請求項１に記載の色ムラ測定方法であって、
前記測定色度および前記基準色度は、色の特徴を示す複数の色特徴パラメーターを有し、
前記補正系算出工程は、前記測定色度および前記基準色度の各色特徴パラメーターを、所定基準値に対する割合に変換し、変換された割合を用いて前記色度変換補正係数を算出する
ことを特徴とする色ムラ測定方法。
【請求項３】
請求項２に記載の色ムラ測定方法であって、
前記補正係数算出工程は、前記測定色度および前記基準色度を構成する色特徴パラメーターのうち、明るさを示す明るさ刺激値を１として変換し、他の色特徴パラメーターを前記明るさ刺激値に対する割合に変換する
ことを特徴とする色ムラ測定方法。
【請求項４】
請求項１ないし請求項３のいずれかに記載の色ムラ測定方法であって、
前記表示領域に表示される前記画像の明るさに対する前記撮像手段のホワイトバランスを設定する撮像設定工程を備え、
前記カラーパターン撮像工程および前記色ムラ測定用画像撮像工程は、前記撮像設定工程により設定されたホワイトバランスの撮像手段により前記カラーパターン画像および前記色ムラ測定用画像を撮像する
ことを特徴とする色ムラ測定方法。
【請求項５】
請求項１ないし請求項４のいずれかに記載の色ムラ測定方法において、
前記色ムラ測定工程は、前記色度補正工程により補正された色度を、基準色空間形式に対応する色特性値に変換し、変換された色特性値に基づいて、色ムラを測定する
ことを特徴とする色ムラ測定方法。
【請求項６】
画像を表示させる表示装置により所定の表示領域に表示される画像の色ムラを測定する色ムラ測定装置であって、
前記表示装置に、所定照度のカラーパターン画像を表示するためのカラーパターン画像信号を出力するカラーパターン画像出力手段と、
前記表示装置に、色ムラを検査するための色ムラ測定用画像信号を出力する色ムラ測定用画像出力手段と、
前記表示領域に表示される画像を撮像する撮像手段と、
前記表示領域における所定の測定位置の基準色度を測定する基準色度測定器と、
前記カラーパターン画像信号に基づいて前記表示領域に表示されるカラーパターン画像を前記撮像手段で撮像することで得られるカラーパターン撮像画像データを用い、前記測定位置に対応する座標位置の色度を測定するカラーパターン色度測定手段と、
前記基準色度および前記測定色度に基づいて、前記測定色度を前記基準色度に変換する色度変換補正係数を算出する補正係数算出手段と、
前記色ムラ測定用画像信号に基づいて前記表示領域に表示される色ムラ測定用画像を前記撮像手段で撮像することで得られる色ムラ測定用撮像画像データの、前記測定位置に対応する座標における色度を測定する色度測定手段と、
前記色度測定手段により測定された前記色度を、前記色度変換補正係数を用いて補正する色度補正手段と、
前記色度補正手段により補正された色度に基づいて、色ムラを測定する色ムラ測定手段と、
を具備したことを特徴とした色ムラ測定装置。
【発明の詳細な説明】
【技術分野】
【０００１】
本発明は、表示体により投影表示された画像に表れる色ムラを測定する色ムラ測定方法、および色ムラ測定装置に関する。
【背景技術】
【０００２】
従来、表示体などの表示装置から投射される画像内に現れた色ムラを測定する色ムラ測定方法や色ムラ測定装置が知られている。この色ムラの測定では、表示された画像に対して複数の測定ポイントを設定し、これらの測定ポイントの色度をそれぞれ測定することで色ムラを測定する方法がある。
しかしながら、このような色ムラ測定では、多点測定のために、色度測定器を移動させる必要があり、測定点に比例して測定時間がかかり、複数の測定器を用いる場合、装置の大型化やコスト高となるだけでなく、各測定器の測定値をずれなく校正することが困難であるため、測定精度も低くなるという問題がある。
これに対して、表示された画像を撮像装置で撮像し、撮像画像に基づいて多点同時測定を実施する方法が提案されている（例えば、特許文献１参照）。
【０００３】
この特許文献１に記載のものは、検査対象のディスプレイに表示される画像をＣＣＤカメラで撮像する。そして、撮像画像の２つの領域における色度や輝度を測定し、これらの色度差や輝度差が所定の閾値と比べて大きい場合に色ムラがあると判断する構成が採られている。
【０００４】
【特許文献１】特開２００５−４３１７４号公報
【発明の開示】
【発明が解決しようとする課題】
【０００５】
しかしながら、上記特許文献１に記載のような従来の色ムラ測定方法では、例えばＣＣＤのセンサー特性など、撮像装置の特性と、表示装置の表示特性とが異なる。このため、一般的な補正係数（例えばｓＲＧＢ補正係数）などを用いた補正を実施すると、基準となる基準色度測定器の値と、補正値とにずれが生じてしまい、測定精度が低下するという問題がある。
【０００６】
本発明は、上述のような問題に鑑みて、精度よく色ムラを測定する色ムラ測定方法、および色ムラ測定装置を提供することを目的とする。
【課題を解決するための手段】
【０００７】
本発明の色ムラ測定方法では、画像を表示させる表示装置により所定の表示領域に表示された画像を、撮像手段により撮像し、撮像により得られる撮像画像データから前記画像に現れる色ムラを測定する色ムラ測定方法であって、前記表示装置により、所定照度の複数のカラーパターン画像を順次前記表示領域に表示させるカラーパターン表示工程と、前記表示領域に表示される前記カラーパターン画像を前記撮像手段により撮像させ、カラーパターン撮像画像データを取得するカラーパターン撮像工程と、前記表示領域における所定の測定位置の色度を測定する基準色度測定器を用い、前記表示領域に表示された前記カラーパターン画像における前記測定位置の色度をそれぞれ測定する基準色度測定工程と、前記カラーパターン撮像工程により得られる前記カラーパターン撮像画像データにおける前記測定位置に対応する座標の色度を測定するカラーパターン色度測定工程と、前記カラーパターン測定工程において測定される色度である測定色度、および前記基準色度測定器により測定される前記測定位置の色度である基準色度に基づいて、前記測定色度を前記基準色度に変換する色度変換補正係数を算出する補正係数算出工程と、前記表示装置により、色ムラ測定用画像を前記表示領域に表示させる色ムラ測定用画像表示工程と、前記色ムラ測定用画像表示工程により表示される前記色ムラ測定用画像を、前記撮像手段により撮像し、色ムラ測定用撮像画像データを取得する色ムラ測定用画像撮像工程と、前記色ムラ測定用撮像画像データにおける所定の座標位置の色度を測定する色度測定工程と、前記色度変換補正係数を用いて、前記色度測定工程により測定された色度を補正する色度補正工程と、前記色度補正工程により補正された色度に基づいて、色ムラを測定する色ムラ測定工程と、を具備したことを特徴とする。
【０００８】
この発明において、カラーパターン表示工程において表示されるカラーパターンとしては、例えば、グレイ画像、赤色画像、緑色画像、青色画像などの単一色の画像、およびこれらのカラー画像の照度を変化させた画像を用いることができる。また、基準色度測定工程により用いられる基準色度測定器としては、例えば所定位置における色度を分光測定法により正確に計測する分光測定器や、このような分光測定器により校正された三刺激値直読型計測器などを用いることができる。
そして、本発明では、補正係数算出工程において、カラーパターン撮像画像データの所定測定位置に対応する座標の色度（測定色度）と、基準色度計測器により計測される基準色度に基づいて、カラーパターン撮像画像データの色度を基準色度に補正する色度変換補正係数を演算する。また、色度測定工程で、色ムラ測定用画像の撮像により得られる測定用撮像画像データの色度を測定し、この測定された色度を色度補正工程において、先に算出した色度変換補正係数に用いて色補正し、色ムラ測定工程では、この色補正された色度に基づいて色ムラを測定する。
これにより、撮像手段の撮像特性や表示装置の表示特性が異なる場合でも、色度変換補正係数を用いることで、撮像画像データの色度を、基準となる基準色度測定器の値に揃えることができる。したがって、色ムラ測定工程において、正確な色度に基づいて、精度の良い色ムラの測定を実施することができる。
【０００９】
本発明の色ムラ測定方法では、前記測定色度および前記基準色度は、色の特徴を示す複数の色特徴パラメーターを有し、前記補正系算出工程は、前記測定色度および前記基準色度の各色特徴パラメーターを、所定基準値に対する割合に変換し、変換された割合を用いて前記色度変換補正係数を算出することを特徴とする。
【００１０】
この発明によれば、補正係数算出工程において、測定色度および基準色度の色特徴パラメーターを割合に変換して、この割合を用いて色度変換補正係数を算出する。すなわち、測定色度や基準色度として、例えばＲＧＢの各色階調値や、三刺激値ＸＹＺなどの色特徴パラメーターを用いることができるが、これらのＲＧＢ階調値や三刺激値は、カラーパターン画像の明るさや露光時間などにより、測定結果が大きく影響を受ける。このため、色特徴パラメーターをそのまま用いる場合、測定値の変動の影響を受け、精度の高い色度変換補正係数を算出することが困難となる。一方、明るさや露光時間が変化したとしても、各色特徴パラメーターの割合は大きく変化することがなく、この割合で色度変換補正係数を算出することで、上述したような明るさや露光時間の違いにより差を抑えることができる。したがって、色特調パラメーターを割合に変換し、この割合に基づいて色度変換補正係数を算出することで、より適切な色度変換補正係数を算出することができ、色ムラ測定時においても、より正確な色ムラ測定を実施することができる。また、色度変換補正係数の算出も容易となり、処理負荷を軽減させることができ、処理時間の迅速化を図ることができる。
【００１１】
ここで、本発明の色ムラ測定方法では、前記補正係数算出工程は、前記測定色度および前記基準色度を構成する色特徴パラメーターのうち、明るさを示す明るさ刺激値を１として変換し、他の色特徴パラメーターを前記明るさ刺激値に対する割合に変換することが好ましい。
【００１２】
ここで、測定色度や、基準色度としては、例えば色度をＲＧＢの各色の階調度で示すＲＧＢ表色系、三刺激値ＸＹＺにより表示するＸＹＺ表色系などがある。ここで、カラーパターン撮像画像データの所定位置座標から色度を抽出する際には、ＲＧＢ表色系であるＲＧＢ各階調値を測定することが容易であり、測定色度としてはＲＧＢ表色系を用いることが好ましい。また、基準色度測定器としては、例えば分光測定器や三刺激値直読型測定器などを用いる場合、三刺激値ＸＹＺが測定されるため、基準色度としては、ＸＹＺ表色系を用いることが好ましい。ここで、ＲＧＢ表色系では、明るさに最も影響を与える明るさ刺激値はＧ値となり、ＸＹＺ表色系では、Ｙ値となる。したがって、補正係数算出工程では、ＲＧＢ表色系の色度に対して、Ｇ値を１として、Ｒ値およびＢ値をＧ値に対する割合に、ＲＧＢ各階調値を変換し、ＸＹＺ表色系の色度に対して、Ｙ値を１として、Ｘ値およびＺ値をＹ値に対する割合に、ＸＹＺ値を変換する。
このように、色特徴パラメーターを、明るさ刺激値を基準とした割合に変換することで、明るさを正確に補正可能な色度変換補正係数を算出できる。すなわち、人の目に対して刺激が大きいとされる明るさを基準とするため、より人間の目に即した色ムラ測定を実施することができる。
【００１３】
本発明の色ムラ測定方法では、前記表示領域に表示される前記画像の明るさに対する前記撮像手段のホワイトバランスを設定する撮像設定工程を備え、前記カラーパターン撮像工程および前記色ムラ測定用画像撮像工程は、前記撮像設定工程により設定されたホワイトバランスの撮像手段により前記カラーパターン画像および前記色ムラ測定用画像を撮像することが好ましい。
この発明によれば、各カラーパターン画像や色ムラ測定用画像の画像明るさなどに応じて適宜撮像手段のホワイトバランスを設定し、このホワイトバランスが設定された撮像手段により、カラーパターン画像や色ムラ測定用画像を撮像する。このため、各撮像画像データは、その明るさに応じて、ホワイトバランスが適切に設定された状態となり、ホワイトバランスの違いによる色ムラや、照度差などが生じず、精度良く色ムラ測定を実施することができる。
【００１４】
本発明の色ムラ測定方法は、前記色ムラ測定工程は、前記色度補正工程により補正された色度を、基準色空間形式に対応する色特性値に変換し、変換された色特性値に基づいて、色ムラを測定することが好ましい。
ここで、基準色空間形式とは、個々の表示装置が持つ色空間に対して、色度の基準となる色空間である。すなわち、ＲＧＢ色空間形式により色を表示する表示装置が複数あり、これら複数の表示装置に対して所定のＲＧＢ階調値の画像信号を入力した場合、各表示装置の個体差により、僅かな色度が生じる。したがって、精度よく色ムラを測定するためには、これらの異なる色空間形式を基準となる色空間形式に変換し、色度を判断することが好ましい。この基準色空間形式としては、例えば、国際照明委員会 (Commission Internationale de l'Eclairage：CIE)により規定された色空間形式を用いることができ、例えばCIE-Lab表色系、CIE-Luv表色系などを用いることができる。
【００１５】
上記発明では、色度測定工程では、計測された色度を上記したような基準色空間形式の色特徴値に変換し、色ムラを測定するため、色ムラの有無の判断を容易に実施できる。また、複数の表示装置において発生する色ムラを統計的に測定する場合でも、各表示装置固有の色空間形式ではなく、基準色空間形式を用いることで、各表示装置における基準に対する色ムラを正確に測定することができる。
【００１６】
本発明の色ムラ測定装置は、画像を表示させる表示装置により所定の表示領域に表示される画像の色ムラを測定する色ムラ測定装置であって、前記表示装置に、所定照度のカラーパターン画像を表示するためのカラーパターン画像信号を出力するカラーパターン画像出力手段と、前記表示装置に、色ムラを検査するための色ムラ測定用画像信号を出力する色ムラ測定用画像出力手段と、前記表示領域に表示される画像を撮像する撮像手段と、前記表示領域における所定の測定位置の基準色度を測定する基準色度測定器と、前記カラーパターン画像信号に基づいて前記表示領域に表示されるカラーパターン画像を前記撮像手段で撮像することで得られるカラーパターン撮像画像データを用い、前記測定位置に対応する座標位置の色度を測定するカラーパターン色度測定手段と、前記基準色度および前記測定色度に基づいて、前記測定色度を前記基準色度に変換する色度変換補正係数を算出する補正係数算出手段と、前記色ムラ測定用画像信号に基づいて前記表示領域に表示される色ムラ測定用画像を前記撮像手段で撮像することで得られる色ムラ測定用撮像画像データの、前記測定位置に対応する座標における色度を測定する色度測定手段と、前記色度測定手段により測定された前記色度を、前記色度変換補正係数を用いて補正する色度補正手段と、前記色度補正手段により補正された色度に基づいて、色ムラを測定する色ムラ測定手段と、を具備したことを特徴とする。
【００１７】
この発明によれば、上述した色ムラ測定方法と同様の作用効果が得られ、撮像手段の撮像特性や、表示装置の表示特性などが異なる場合でも、色度変換補正係数を用いることで、撮像画像データの色度を、基準となる基準色度測定器の値に揃えることができ、正確な色ムラ測定を実施することができる。
【発明を実施するための最良の形態】
【００１８】
以下、本発明に係る実施の形態の色ムラ測定装置としての色ムラ測定システム、および色ムラ測定方法を図面に基づいて説明する。
図１は、本発明に係る実施の形態の色ムラ測定システムの概略構成を示すブロック図である。
【００１９】
図１において、色ムラ測定システム１は、測定対象となるプロジェクタ２（表示装置）と、撮像装置３（撮像手段）と、基準色度測定器４と、測定制御装置１０と、を備えている。この色ムラ測定システム１は、プロジェクタ２から表示領域であるスクリーン２１上に投影された色ムラ測定用画像を撮像装置３により撮像し、撮像により得られる色ムラ測定用撮像画像データに基づいて、プロジェクタ２から出力される画像の色ムラを測定するシステムである。
【００２０】
プロジェクタ２は、画像信号源２２や、測定制御装置１０から供給される入力画像信号（ＲＧＢ表色系）に基づいて、画像光を生成し、この画像光をスクリーン２１に向かって射出する光学エンジンを備えている。具体的には、光学エンジンは、図示は省略するが、光束を射出する照明光学系と、照明光学系から射出される光束を例えばＲＧＢの各色光に分離する分離光学系と、分離された各色光を画像信号に基づいて変調させる液晶パネルを有する光変調光学系、各色光を合成して画像光を生成する光合成光学系、生成された画像光を射出する投射光学系、および液晶パネルを画像信号に応じて制御する駆動回路を備えている。そして、この光学エンジンの駆動回路は、画像信号源２２や測定制御装置１０から入力される画像信号に基づいて液晶パネルを制御し、画像信号に応じた画像光を生成してスクリーン２１に対して投射する。
なお、本実施の形態において、表示装置として、入力画像信号に応じた画像光をスクリーン２１に投射して画像を表示するプロジェクタ２を例示するが、これに限定されない。例えば、色ムラ測定の対象となる表示装置として、液晶ディスプレイや、ＰＤＰ（Plasma Display Panel）など他の表示装置であってもよい。
また、画像信号源２２は、表示画像に対応した画像信号を、プロジェクタ２に出力する装置であり、例えばパーソナルコンピュータや、デジタルカメラ、デジタルビデオなど、画像信号を出力するいかなるものを用いてもよい。なお、本実施の形態では、測定制御装置１０からプロジェクタ２に色ムラ測定用画像信号や測位用画像信号が出力される構成を示すが、例えば、画像信号源２２からプロジェクタ２にこれらの画像信号が出力される構成などとしてもよく、例えば、画像信号源２２および測定制御装置１０として機能するパーソナルコンピュータを用いる構成としてもよい。
【００２１】
撮像装置３は、図示しないＣＣＤ(Charge Coupled Device)素子を備え、スクリーン２１上に投影された画像を撮像する。すなわち、撮像装置３は、スクリーン２１にて反射された画像光をＣＣＤ素子にて受光し、受光した光に応じた画像信号を取得する。また、撮像装置３は、測定制御装置１０から入力される撮像設定情報に基づいて、適宜ホワイトバランス補正値が設定され、ＣＣＤ素子により取得した画像信号に対し、ホワイトバランス補正を実施する。なお、本実施の形態では、測定制御装置１０から入力される撮像設定情報に基づいて、ホワイトバランス補正を実施する例を示すが、これに限定されず、撮像装置３に搭載される画像エンジンが、検査対象となるスクリーンから例えばグレイポイントなど、基準となる色を撮像または測定し、自動でホワイトバランス補正値を設定する構成などとしてもよい。
そして、撮像装置３は、取得した画像信号を撮像画像データとして、測定制御装置１０に出力する。
【００２２】
基準色度測定器４は、スクリーン２１上の所定の測定位置の色度を測定し、測定した色度を測定制御装置１０に出力する。
この基準色度測定器４としては、例えば、入射光を分光器により分光し、得られたスペクトルの強度分布から入射光の色度を正確に分析する分光測定法を利用した分光光度測定器や、このような分光光度測定器などにより校正された三刺激値直読型色度測定器などを用いることができる。このような基準色度測定器４は、スクリーン２１の所定測定位置の色度を正確な三刺激値ＸＹＺとして測定し、測定により得られる三刺激値を基準色度として、測定制御装置１０に出力する。ここで、基準色度測定器４により測定される測定位置は、スクリーン２１に投影される画像の中心点であり、プロジェクタ２から射出される画像光の光軸と、スクリーン２１との交差点であることが好ましい。
【００２３】
測定制御装置１０は、色ムラ測定に用いられる色ムラ測定用画像や、投射画像における所定測定位置を設定するための測位用画像をプロジェクタ２に表示させる制御をするとともに、撮像装置３から入力される撮像画像データに基づいて、測定位置の設定、所定測定位置における色度の測定、および色ムラの測定を実施する。この測定制御装置１０は、図１に示すように、入出力部１１と、入力操作部１２と、記憶部１３と、演算処理部１４とを備えている。
【００２４】
入出力部１１は、撮像装置３、基準色度測定器４、およびプロジェクタ２などの外部機器に接続可能な端子を備えている。そして、入出力部１１は、これらの外部機器から入力される信号を演算処理部１４に出力するとともに、演算処理部１４からの信号を外部機器に出力する。
【００２５】
入力操作部１２は、例えばキーボードやマウスなどの入力手段を備え、利用者によりこれらの入力手段が操作されることで、操作内容に応じた操作信号を演算処理部１４に出力する。
【００２６】
記憶部１３は、各種データやプログラムなどを記憶する。この記憶部１３としては、例えばＨＤＤやメモリ、ＣＤやＤＶＤなどの記録媒体を駆動するドライブなどが挙げられる。
具体的には、記憶部１３は、図２に示すような色度を有するカラーパターン画像に関するカラーパターン画像信号、図３に示すような色ムラ測定用画像５に関する色ムラ測定用画像信号を記憶している。ここで、図２は、ｕ´-ｖ´色座標における各カラーパターンの色度を示す図である。図３は、色ムラ測定用画像の一例を示す図である。
【００２７】
ここで、図２に基づいて、カラーパターン画像について、説明する。本実施の形態の色ムラ測定システム１では、図２に示すように、１３パターンのカラーパターン画像を用いる。すなわち、カラーパターン画像として、所定照度のグレイ画像と、このグレイ画像から、赤色方向、緑色方向、青色方向、シアン方向、マゼンタ方向、イエロー方向の２段階ずつ色度を変化させた各色ベタ画像との、１３種類の画像を用いる。
なお、本実施形態では、図２に示す１３種類の色度に対応したカラーパターン画像を用いる例を示すが、これに限定されない。すなわち、１３種類未満のカラーパターン画像、例えば、グレイ画像と、各１種類ずつの赤色画像、緑色画像、青色画像、シアン画像、マゼンタ画像、およびイエロー画像の７種類を用いてもよく、各色系統に対して３段階に色度を変化させた、１４種類以上のカラーパターン画像を用いる構成などとしてもよい。
【００２８】
また、記憶部１３は、撮像装置３のホワイトバランス補正値が記憶している。このホワイトバランス補正値は、各カラーパターン画像や、色ムラ測定用画像５の明るさに応じて予め設定される値であり、各画像に関連付けられてそれぞれ記憶されている。
【００２９】
演算処理部１４は、ＣＰＵなどの集積回路により構成され、記憶部１３に記憶されるプログラムにより所定の演算処理を実施する。演算処理部１４により実施されるプログラムとしては、図１に示すように、撮像設定手段１４１と、撮像制御手段１４２と、カラーパターン画像出力手段１４３と、基準色度測定制御手段１４４と、カラーパターン色度測定手段１４５と、補正係数算出手段１４６と、色ムラ測定用画像出力手段１４７と、色度測定手段１４８と、色度補正手段１４９と、色ムラ測定手段１５０と、などが含まれている。
【００３０】
撮像設定手段１４１は、記憶部１３からカラーパターン画像信号や色ムラ測定用画像信号に対するホワイトバランス補正値を読み込み、撮像設定情報として撮像装置３に出力する。ここで、撮像設定手段１４１は、読み込まれるホワイトバランス補正値として、後述するカラーパターン画像出力手段１４３や色ムラ測定用画像出力手段１４７の制御により出力されるカラーパターン画像や色ムラ測定用画像信号に対してそれぞれ設定されたホワイトバランス補正値を読み込む。
【００３１】
撮像制御手段１４２は、撮像装置３にスクリーン２１上に投影される画像を撮像させる制御を実施し、撮像装置３から入力される撮像画像データを取得する。また、撮像制御手段１４２は、取得した撮像画像データを適宜読み出し可能に記憶部１３に記憶する。
【００３２】
カラーパターン画像出力手段１４３は、記憶部１３からカラーパターン画像信号を順次読み込み、プロジェクタ２に順次出力する。これにより、プロジェクタ２からスクリーン２１上に、図２に示すような１３種類の色度のカラーパターン画像が投影され表示される。
【００３３】
基準色度測定制御手段１４４は、基準色度測定器４を制御し、カラーパターン画像出力手段１４３の制御によりスクリーン２１上に表示される各カラーパターン画像の画像中心点における色度（基準色度）を測定させる制御をする。また、基準色度測定制御手段１４４は、基準色度測定器４から基準色度が記録される基準色度データが入力されると、この基準色度データから基準色度を抽出し、記憶部１３に適宜読み出し可能に記憶する。なお、本実施の形態では、基準色度の測定点として画像中心点を例示するが、これに限定されず、予め設定されたその他の点を測定対象点としてもよい。
【００３４】
カラーパターン色度測定手段１４５は、撮像制御手段１４２の制御によりカラーパターン画像が撮像され、カラーパターン撮像画像データが取得されると、このカラーパターン撮像画像データの画像中心、すなわち基準色度測定器４による基準色度の測定位置に対応した座標位置の色度を測定する。ここで、カラーパターン色度測定手段１４５は、カラーパターン撮像画像データの画像中心点のＲＧＢ各階調値を測定色度として抽出する。そして、カラーパターン色度測定手段１４５は、この測定色度を適宜読み出し可能に、記憶部１３に記憶する。
なお、基準色度測定制御手段１４４により、画像中心点以外の、予め設定されたその他の点を測定対象点とした場合、カラーパターン色度測定手段１４５は、この測定対象点に対応する座標位置のＲＧＢ値を抽出し、測定色度として取得する。
【００３５】
補正係数算出手段１４６は、記憶部１３に記憶された基準色度および測定色度に基づいて、測定色度を基準色度に変換する色度変換補正係数を算出する。
この時、補正係数算出手段１４６は、図４に示すように、三刺激値ＸＹＺにより表示される基準色度を、Ｙ値を１とした比に変換し、ＲＧＢ階調値により表示される測定色度を、Ｇ値を１とした比に変換する。この図４は、各カラーパターン画像における測定色度、基準色度、およびこれらの測定色度および基準色度を割合に変換した値を示す図である。なお、以降の説明において、これらの各比の値を割合変換値と称す。
そして、補正係数算出手段１４６は、この割合変換値を用いて、色度変換補正係数を算出する。
【００３６】
ここで、一般に、ＲＧＢ表色系の色特調値であるＲＧＢ階調値から、ＸＹＺ表色系の色特調値であるＸＹＺ値への変換は、次式（１）に基づいて算出される。
【００３７】
【数１】
2010139324.tif 000003
【００３８】
上記式（１）は、次式（２）のように展開できる。
【００３９】
【数２】
2010139324.tif 000004
【００４０】
補正係数算出手段１４６は、上述のように、各カラーパターン画像から得られた測定色度および基準色度の各色特徴パラメーター（ＲＧＢ各階調値、三刺激値ＸＹＺ）を、図４に示すような割合変換値に換算した後、これらの割合変換値を上記式（２）に代入し、式（２）を満たす、もしくは誤差が最小となる色度変換補正係数の各要素ｘｒ、ｘｇ、ｘｂ、ｙｒ、ｙｇ、ｙｂ、ｚｒ、ｚｇ、ｚｂを算出する。誤差が最小となる値を算出する場合には、例えば最小二乗法などを用いることができる。そして、補正係数算出手段１４６は、算出した色度変換補正係数を適宜読み出し可能に記憶部１３に記憶する。
ここで、一例として、各カラーパターン画像の測定色度および基準色度が図４に示すような結果となった場合の色度変換補正係数を次式（３）に示す。
【００４１】
【数３】
2010139324.tif 000005
【００４２】
色ムラ測定用画像出力手段１４７は、記憶部１３から色ムラ測定用画像信号を読み込み、プロジェクタ２に出力する。これにより、プロジェクタ２からスクリーン２１上に、図３に示すような色ムラ検査用の色ムラ測定用画像５が投影され表示される。なお、本実施形態では、色ムラ測定用画像５としては、全画素において、同一階調値に設定されたグレイ画像が好ましいが、例えば赤色画像、青色画像、緑色画像を色ムラ測定用画像として表示させ、それぞれの画像における色ムラを測定する構成などとしてもよい。
【００４３】
色度測定手段１４８は、撮像装置３により色ムラ測定用画像５が撮像され、その撮像画像データである色ムラ測定用撮像画像データが入力されると、この色ムラ測定用撮像画像データの所定の測定位置における色度を測定する。
ここで、色度測定手段１４８は、図３に示すように、測定位置として、検査対象測定位置５１と、比較測定位置５２とを選択し、これらの測定位置における色度（ＲＧＢ各階調値）を抽出する。検査対象測定位置５１としては、例えば、予め設定された複数の座標位置を選択するものであってもよく、色ムラ測定用撮像画像データ内の全画素を対象とするものであってもよい。また、比較測定位置５２としては、色ムラ測定用撮像画像データにおける画像中心点であることが好ましい。すなわち、画像中心点は、プロジェクタ２から投射される画像光の中心軸に対応する位置であるため、レンズ収差などの影響が少なく、基準となる色度を適切に再現可能となるためである。また、中心点を比較測定位置５２とすることで、各検査対象測定位置５１との距離を最短にすることができる。例えば、比較測定位置を画像の一端縁に設ける場合では、画像の他端縁にある検査対象測定位置との距離が遠くなりすぎ、適切な色ムラ測定が困難となるが、上記のように画像中心点に比較測定位置５２を設けることで、各検査対象測定位置５１と比較測定位置５２との距離を短くでき、適切な色ムラ測定を支援することが可能となる。
【００４４】
色度補正手段１４９は、記憶部１３から色度変換補正係数を読み込み、色度測定手段１４８により測定された色度をこの色度変換補正係数を用いて補正する。具体的には、色度測定手段１４８により抽出された測定位置におけるＲＧＢ各階調値を、色度変換補正係数および式（１）を用いて、基準色度測定器４の色空間に対応した三刺激値ＸＹＺに変換する。この時、色度補正手段１４９は、色度測定手段１４８により抽出した測定位置のＲＧＢ階調値を、Ｇ値に対する比である割合変換値に変換し、この割合変換値を式（１）に代入して、三刺激値ＸＹＺの割合変換値を算出する。
【００４５】
色ムラ測定手段１５０は、色度補正手段１４９により算出された検査対象測定位置５１、および比較測定位置５２における三刺激値ＸＹＺの割合変換値から、検査対象測定位置５１における色差を算出し、色ムラを測定する。
具体的には、色ムラ測定手段１５０は、測定位置の三刺激値ＸＹＺの割合変換値を、下記式（４），（５）に基づいて、ＣＩＥ規格に準拠した基準色空間形式であるＣＩＥ-Ｌｕ´ｖ´表色系の色特徴値に変換する。
【００４６】
【数４】
2010139324.tif 000006
【００４７】
そして、色ムラ測定手段１５０は、演算されたｕ´，ｖ´に基づいて、下記（６）式により、検査対象測定位置５１の色度と比較測定位置５２の色度との色差△ｕ´ｖ´を算出する。
【００４８】
【数５】
2010139324.tif 000007
【００４９】
上記式（６）において、ｕ´２は、比較測定位置５２におけるｕ´値、ｖ´２は、比較測定位置５２におけるｖ´値を示し、ｕ´１は、検査対象測定位置５１におけるｕ´値、ｖ´１は、検査対象測定位置５１におけるｖ´値を示す。
そして、色ムラ測定手段１５０は、上記のように算出された色差△ｕ´ｖ´を適宜読み出し可能に記憶部１３に記憶する。
【００５０】
〔色ムラ測定方法〕
次に、上記色ムラ測定システム１における色ムラ測定方法について、図面に基づいて説明する。
図５は、本実施の形態の色ムラ測定システム１における色ムラ測定方法を示すフローチャートである。
図６は、図５における補正係数生成処理を示すフローチャートである。
【００５１】
図５において、色ムラ測定システム１を用いて色ムラを測定するためには、まず、色度変換補正係数を算出するための補正係数生成処理を実施する（ステップＳ１０１）。
この補正係数生成処理では、測定制御装置１０は、図６に示すように、まず、カラーパターン選択変数ｎを初期化し、ｎ＝１を設定する（ステップＳ２０１）。なお、本実施の形態において、記憶部１３に記憶される各カラーパターン画像信号には、それぞれカラーパターン選択変数ｎに対応したＩＤが関連付けられているものとし、例えばグレイ画像では、カラーパターン変数ｎ＝１に対応しているものとする。また、本実施の形態では、カラーパターン画像として、図２に示すように、１３種類のパターンを用いるため、カラーパターン選択変数ｎの最大値ｍはｍ＝１３となる。
このステップＳ２０１の後、測定制御装置１０は、カラーパターン変数ｎに対応するＩＤを有するカラーパターン画像信号を読み込む（ステップＳ２０２）。
【００５２】
この後、測定制御装置１０は、撮像装置３のホワイトバランス設定処理を実施する（ステップＳ２０３：第一撮像設定工程）。ここで、本実施形態の色ムラ測定システム１では、利用者の入力操作部の操作によるホワイトバランス補正値の指定がない限り、ステップＳ２０２において選択され、読み込まれたカラーパターン画像信号に関連付けられたホワイトバランス補正値を読み込み、撮像設定情報として撮像装置３に出力する。これにより、撮像装置３のホワイトバランス補正が実施される。
【００５３】
次に、測定制御装置１０は、カラーパターン画像出力手段１４３により、ステップＳ２０２にて読み込まれたカラーパターン画像信号をプロジェクタ２に出力する（ステップＳ２０４：カラーパターン画像表示工程）。これにより、プロジェクタ２からカラーパターン画像信号に基づいた所定色の画像光が射出され、スクリーン２１上にカラーパターン画像が表示される。
【００５４】
この後、測定制御装置１０は、撮像制御手段１４２により、撮像装置３を制御し、スクリーン２１上のカラーパターン画像を撮像させてカラーパターン撮像画像データを取得する（ステップＳ２０５：カラーパターン画像撮像工程）。また、撮像制御手段１４２は、取得したカラーパターン撮像画像データを記憶部１３に一時記憶する。
【００５５】
次に、測定制御装置１０は、基準色度測定制御手段１４４により、基準色度測定器４を制御し、スクリーン２１に表示されたカラーパターン画像の画像中心点における基準色度を測定させる（ステップＳ２０６：基準色度測定工程）。この時、基準色度測定制御手段１４４は、基準色度として三刺激値ＸＹＺを測定する。そして、基準色度測定制御手段１４４は、測定により得られた基準色度を、カラーパターン選択変数ｎと関連付けて、適宜読み出し可能に記憶部１３に記憶する。
【００５６】
また、測定制御装置１０は、カラーパターン色度測定手段１４５により、ステップＳ２０５において得られたカラーパターン撮像画像データの画像中心点におけるＲＧＢ階調値を抽出し、測定色度として取得する（ステップＳ２０７：カラーパターン色度測定工程）。また、カラーパターン色度測定手段１４５は、得られた測定色度を、カラーパターン選択変数ｎおよびステップＳ２０６にて得られた基準色度と関連付けて、適宜読み出し可能に記憶部１３に記憶する。
【００５７】
この後、測定制御装置１０は、カラーパターン選択変数ｎに１を加算する（ステップＳ２０８）。
そして、測定制御装置１０は、カラーパターン選択変数ｎが、カラーパターン画像信号の最大値ｍ（本実施の形態では、１３種類のカラーパターン画像を用いるため、ｍ＝１３）より大きくなったか否かを判断する（ステップＳ２０９）。
【００５８】
ステップＳ２０９において、カラーパターン選択変数ｎがｍ以下である場合、他に処理を実施していないカラーパターン画像が存在するとして、ステップＳ２０２の処理に戻る。
一方、ステップＳ２０９において、カラーパターン選択変数ｎがｍを超える場合、測定制御装置１０は、全てのカラーパターン画像において、基準色度および測定色度の取得が完了したと判断し、色度変換補正係数を算出する処理を実施する（ステップＳ２１０：補正係数算出工程）。
この補正係数算出工程では、上述したように、測定制御装置１０の補正係数算出手段１４６は、記憶部１３に記憶された各基準色度の三刺激値を、Ｙ値を基準とした割合変換値に変換し、同様に、各測定色度のＲＧＢ階調値を、Ｇ値を基準とした割合変換値に変換する。
そして、補正係数算出手段１４６は、各カラーパターン選択変数ｎ毎の、測定色度および基準色度の割合変換値を、上述した式（２）に代入し、全カラーパターン選択変数ｎにおいて、式（２）を満たす、または誤差が最小となる色度変換補正係数を算出する。また、補正係数算出手段１４６は、この算出した色度変換補正係数を、記憶部１３に適宜読み出し可能に記憶する。
【００５９】
次に、図５に戻り、測定制御装置１０は、色ムラ測定用画像出力手段１４７により、記憶部１３から色ムラ測定用画像信号を読み込み、プロジェクタ２に読み込んだ色ムラ測定用画像信号を出力する（ステップＳ１０２：色ムラ測定用画像表示工程）。これにより、プロジェクタ２から画像光が射出され、スクリーン２１上に図３に示すような色ムラ測定用画像５が表示される。
【００６０】
そして、測定制御装置１０は、撮像装置３のホワイトバランス設定処理を実施する（ステップＳ１０３：第二撮像設定工程）。ここで、本実施形態の色ムラ測定システム１では、利用者の入力操作部の操作によるホワイトバランス補正値の指定、色ムラ測定用画像の指定がない限り、予め設定された色ムラ測定用画像５に対応したホワイトバランス補正値を記憶部１３から読み出し、撮像設定情報として撮像装置３に出力する。これにより、撮像装置３のホワイトバランス補正が実施される。
【００６１】
この後、測定制御装置１０は、撮像制御手段１４２により、撮像装置３を制御して、スクリーン２１上の色ムラ測定用画像５を撮像させ、色ムラ測定用撮像画像データを取得する（ステップＳ１０４：色ムラ測定用画像撮像工程）。また、撮像制御手段１４２は、取得した色ムラ測定用撮像画像データを記憶部１３に記憶する。
【００６２】
次に、測定制御装置１０は、色度測定手段１４８により、測定位置の色度を測定する（ステップＳ１０５：色度測定工程）。
これには、色度測定手段１４８は、色ムラ測定用撮像画像データにおいて、予め設定された所定の検査対象測定位置５１、および比較測定位置５２の位置座標のＲＧＢ階調値を抽出し、測定値として取得する。
【００６３】
そして、測定制御装置１０は、色度補正手段１４９により、測定値のＲＧＢ階調値を三刺激値ＸＹＺに変換する補正処理を実施する（ステップＳ１０６：色度補正工程）。これには、色度補正手段１４９は、ステップＳ１０５にて取得した測定位置における測定値であるＲＧＢ階調値を、Ｇ値を基準とした割合変換値に変換する。また、色度補正手段１４９は、ステップＳ１０１の補正係数生成処理により算出され、記憶部１３に記憶された色度変換補正係数を読み込む。そして、色度補正手段１４９は、この色度変換補正係数、および測定位置における割合変換値を式（１）に代入することで、三刺激値ＸＹＺの割合変換値を取得する。
【００６４】
この後、測定制御装置１０は、色ムラ測定手段１５０により、色ムラを測定する処理を実施する（ステップＳ１０７：色ムラ測定工程）。
具体的には、色ムラ測定手段１５０は、ステップＳ１０６の色度測定工程により得られる測定位置（検査対象測定位置５１，比較測定位置５２）の三刺激値ＸＹＺ（割合変換値）を、式（４）、（５）を用いて、基準色空間形式であるＣＩＥ Ｌｕ´ｖ´表色系の色特徴値、すなわちｕ´，ｖ´に変換する。
そして、測定制御装置１０は、比較測定位置５２におけｕ´２，ｖ´２と、検査対象測定位置５１におけるｕ´１，ｖ´１との差分を算出し、式（６）に基づいて、色差（色ムラ）を演算する。色ムラ測定手段１５０は、検査対象測定座標の全てにおいて、上記式を用いた色ムラを算出する。
また、色ムラ測定手段１５０は、算出した色ムラを測定値として、適宜読み出し可能に記憶部１３に記憶する。
【００６５】
なお、上記において、プロジェクタ２の色ムラを測定する構成、およびその測定方法について説明したが、さらに、測定された色ムラに基づいて、プロジェクタ２で表示される画像の色ムラの有無を判断する色ムラ判断手段が設けられてもよい。
この場合、色ムラ判断手段は、測定された色差が所定の閾値より大きい場合、色ムラであると判断し、閾値以下である場合、正常な画素であるとして認識する。このような構成では、容易に色ムラの有無を判断することができ、効率よくかつ精度の高い色ムラ検査を実施することが可能となる。
【００６６】
〔色ムラ測定システムの作用効果〕
上述したように、上記実施の形態の色ムラ測定システム１では、プロジェクタ２により複数のカラーパターン画像を順次スクリーン２１に表示させ、これらカラーパターン画像の画像中心の基準色度を、基準色度測定器４により計測する。また、各カラーパターン画像を撮像装置により撮像してカラーパターン撮像画像データを取得し、これらのカラーパターン撮像画像データの画像中心点における測定色度を測定する。そして、基準色度および測定色度に基づいて、測定色度から基準色度への変換マトリクスである色度変換補正係数を算出する。そして、色ムラの測定時において、色ムラ検査用画像をプロジェクタ２によりスクリーン２１上に表示させ、この色ムラ検査用画像を撮像装置３で撮像し、各測定位置の色度を先に算出した色度変換補正係数を用いて補正し、この補正された値に基づいて、色ムラを測定する。
このため、撮像装置３の撮像特性やプロジェクタ２の表示特性にばらつきがある場合でも、色度変換補正係数を用いることで、基準色度測定器４の基準となる色度特性に揃えることができ、色ムラの測定精度を向上させることができる。特に、プロジェクタの製造工程において、複数のプロジェクタの製品検査を実施する場合、複数の撮像装置３を用いて並行して複数のプロジェクタの色ムラ検査を実施することが考えられる。このような場合、撮像装置３の撮像特性にばらつきがあるため、撮像装置３にて得られた撮像画像データのＲＧＢ階調値のみに基づいて色ムラの測定を実施した場合、撮像特性の差により色ムラ測定値に差が生じ、例えば色ムラを統計的に処理する場合、正確なデータが採れないなどの問題も発生する。これに対して、本実施の形態では、上述したように、撮像特性の異なる撮像装置３を用いた場合でも、測定色度を、基準色度測定器４の色空間形式に準拠した基準値に変換することができるため、正確な色ムラ測定値を得ることができる。したがって、複数のプロジェクタの検査を実施する場合や、これらの検査結果を統計的に処理する場合でも、測定値のばらつきがなく、精度の良い色ムラ測定を実施することができる。
【００６７】
また、補正係数算出手段１４６は、補正係数算出工程において、測定色度のＲＧＢ各階調値を、Ｇ値を基準とした割合変換値に変換し、基準色度の各ＸＹＺ値を、Ｙ値を基準とした割合変換値に変換し、これらの割合変換値を用いて色度変換補正係数を算出している。
すなわち、測定色度の各ＲＧＢ階調値や、基準色度の各ＸＹＺ値は、各カラーパターン画像の明るさの影響や、露光時間の影響を受けて、値が変動するが、上記のように割合変換値を用いることで、これらの影響を低減させることができ、より適切な色度変換補正係数を算出することができる。また、このような色度変換補正係数を用いた色ムラ測定を実施することで、より精度の高い色ムラの測定を実施することができる。
さらに、割合変換値として、明るさを示しＧ値やＹ値を基準とし、Ｇ値に対するＲ値およびＢ値の割合、Ｙ値に対するＸ値およびＺ値の値を用いている。より人の目に即した色ムラ測定を実施することができ、より適切な色ムラ測定を実施することができる。
【００６８】
そして、第一および第二撮像設定工程において、カラーパターン画像や色ムラ測定用画像の明るさに対応して撮像装置３のホワイトバランスを補正している。このため、ホワイトバランスの違いにより色のばらつきを抑えることができ、より正確な色ムラ測定を実施することができる。
【００６９】
また、色ムラ測定手段１５０は、色度測定手段１４８により測定された測定座標のＲＧＢ階調値をＸＹＺ値に変換し、さらに、ＣＩＥ Ｌｕ´ｖ´表色系の色特徴値に変換し、式（６）により色ムラを算出する。
このため、個々のプロジェクタ２で用いられる色空間形式を、標準の色空間形式に置き換えて色ムラを算出するため、例えば複数のプロジェクタ２の色ムラを比較する場合など、色ムラ測定尺度を同一にでき、精度よく色ムラの比較検討を実施することができる。すなわち、個々のプロジェクタ２では、それぞれ異なる色空間形式を持つため、例えば複数のプロジェクタにおける色ムラ比較を実施する場合、これらの色空間形式の違いにより、そのままでは、色ムラを比較することができない。これに対して、本実施の形態では、色ムラをＣＩＥにより規定されたＣＩＥ Ｌｕ´ｖ´表色系に変換することで、色ムラの測定スケールを同一にすることができ、改めて値を変換するなどせずに、直接色ムラ比較を実施することができる。したがって、プロジェクタ２の製造時の検査工程において、容易に色ムラの比較検討を実施することができる。
【００７０】
〔他の実施の形態〕
なお、本発明は、以上説明した実施の形態に限定されず、本発明の目的を達せられる範囲で種々の改良、変形が可能である。
【００７１】
例えば、上記実施の形態において、記憶部１３に色ムラ測定用画像信号に対して予め設定されたホワイトバランス補正値が記憶され、撮像制御手段１４２によりこのホワイトバランス補正値が読み込まれて撮像装置３に出力されることで、撮像装置３のホワイトバランス補正を実施する構成を例示したが、これに限定されない。すなわち、撮像装置３にて色ムラ測定用画像を撮像する際に、撮像装置３で色ムラ測定用画像の明るさに応じたホワイトバランス補正が実施される構成であればよく、例えば、上述したように、撮像装置３にスクリーン２１に投影された画像に対して自動的に適切なホワイトバランス補正を実施する画像エンジンを搭載するなどしてもよい。
【００７２】
また、色ムラ測定システム１により色ムラの測定を実施する構成を示したが、例えば、上述したように、算出された色差を所定閾値と比較することにより、色ムラの度合いを検査する色ムラ検査システムとして用いてもよい。また、プロジェクタの製造工程などにおいて、複数のプロジェクタ２に対する測定座標における色ムラを統計的に集計する構成を備えてもよい。この場合、例えば製造されるプロジェクタ２の色ムラの傾向を確認することができ、色ムラの少ない高性能なプロジェクタ２の製造を促進することができる。
【００７３】
さらに、上述したように、表示装置として、入力画像信号に応じた画像光をスクリーン２１に投射して画像を表示するプロジェクタ２の他、例えば、液晶ディスプレイや、ＰＤＰ（Plasma Display Panel）など他の表示装置を色ムラ測定対象としてもよい。この場合、例えば暗室に表示装置を設置し、表示装置の表示領域に表示される色ムラ測定用画像を撮像装置３により撮像する。測定制御装置１０の構成としては、上記実施の形態と同様の構成を利用でき、同様の方法により色ムラを測定することができる。
【００７４】
そして、カラーパターン画像として、上記したような１３種類のカラーパターン画像に限らず、さらに多くのカラーパターンを用いてもよく、より少ないカラーパターン画像を用いてもよい。
【００７５】
色ムラ測定手段１５０は、式（４）〜（６）に基づいて、算出したＲＧＢ階調値をＣＩＥ−Ｌｕ´ｖ´表色系の色特徴値に変換した上で色ムラを算出したが、これに限定されない。すなわち、その他の基準となる色空間形式、例えばＣＩＥ−Ｌａｂ表色系などに変換してもよい。
【００７６】
また、補正係数算出手段１４６は、測定色度および基準色度をそれぞれＧ値およびＹ値を基準とした割合変換値に変換した上で、色度変換補正係数を算出したが、これに限定されず、例えばＲ値やＢ値、Ｘ値やＺ値を基準とした割合変換値を用いてもよい。さらには、割合変換値を用いず、ＲＧＢ各階調値やＸＹＺ値を、そのまま式（２）に代入して色度変換補正係数を算出する構成としてもよく、この場合、色度補正手段１４９は、色度測定手段１４８により測定されたい測定値を割合変換値に変換することなく、式（１）に代入する構成とすることができる。
【００７７】
以上、本発明を実施するための最良の構成について具体的に説明したが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、当業者が様々な変形および改良を加えることができるものである。
【産業上の利用可能性】
【００７８】
表示装置の色ムラを測定する色ムラ測定方法、および色ムラ測定装置に利用することができる。
【図面の簡単な説明】
【００７９】
【図１】本発明に係る実施の形態の色ムラ測定システムの概略構成を示すブロック図である。
【図２】ｕ´-ｖ´色座標における各カラーパターンの色度を示す図である。
【図３】色ムラ測定用画像の一例を示す図である。
【図４】各カラーパターン画像における測定色度、基準色度、およびこれらの測定色度および基準色度を割合に変換した値を示す図である。
【図５】本実施の形態の色ムラ測定システムを用いた色ムラ測定方法を示すフローチャートである。
【図６】図５における補正係数算出処理を示すフローチャートである。
【符号の説明】
【００８０】
１…色ムラ測定装置としての色ムラ測定システム、２…表示装置としてのプロジェクタ、３…撮像手段としての撮像装置、４…基準色度測定器、５…色ムラ測定用画像、２１…表示領域であるスクリーン、１４１…撮像設定手段、１４３…カラーパターン画像出力手段、１４５…カラーパターン色度測定手段、１４６…補正係数算出手段、１４７…色ムラ測定用画像出力手段、１４８…色度測定手段、１４９…色度補正手段、１５０…色ムラ測定手段。
【図１】
2010139324.tif 000008
【図２】
2010139324.tif 000009
【図３】
2010139324.tif 000010
【図４】
2010139324.tif 000011
【図５】
2010139324.tif 000012
【図６】
2010139324.tif 000013